(57)【特許請求の範囲】
【請求項１】
上方に開放され使用者の手に空気を吹きつける手乾燥室と、前記手乾燥室の側面に形成され前記手乾燥室内の手に吹きつけられた空気を排出するための排出口と、を有する手乾燥装置本体と、
手洗を行うための手洗部を有する洗面台と、を有する洗面設備において、
前記手乾燥装置本体は、前記手乾燥室の両側に一対の前記排出口が形成され、
前記洗面台の手前側から奥側に切欠かれ、前記洗面台の壁面で区画された切欠部に配置されており、
前記手乾燥装置本体の両側において、前記排出口を有する前記手乾燥装置本体の側面と前記排出口と対向する前記洗面台の壁面との間には、空気排出経路としての隙間が形成されており、
前記排出口と対向する前記洗面台の壁面には上側の第１壁面と下側の第２壁面とを有する段部が形成されており、かつ前記第１壁面と前記排出口の距離が前記第２壁面と前記排出口の距離よりも短く、前記排出口の少なくとも一部が水平方向において前記第２壁面に重合することを特徴とする洗面設備。
【請求項２】
前記切欠部の手前側には、前記切欠部に配置された前記手乾燥装置本体と前記隙間を覆うカバー部材が設けられていることを特徴とする請求項１に記載の洗面設備。
【請求項３】
前記切欠部は、前記洗面台の手前側から奥側に凹んだ凹部であって、前記洗面台の対向する２つ壁面と前記手乾燥装置本体を取付けられる壁面とで区画される凹部であることを特徴とする請求項１又は請求項２に記載の洗面設備。
【請求項４】
前記洗面台には複数の手洗部が形成されており、前記凹部は、前記複数の手洗部の間に形成されることを特徴とする請求項３に記載の洗面設備。
【請求項５】
前記洗面台の上面と前記手乾燥装置本体の上端が同じ高さで前記手乾燥装置本体を設けることを特徴とする請求項１乃至請求項４のいずれか１項に記載の洗面設備。
【発明の詳細な説明】
【技術分野】
【０００１】
本発明は、使用者の手に空気を吹きつけて乾燥させる手乾燥室を有する手乾燥装置本体が設置された洗面設備に関する。
【背景技術】
【０００２】
近年、特に公共のトイレ等においては、手洗い後に手に付着している水を拭き取るためのペーパータオルを削減する傾向が強まっており、ペーパータオルの代わりに手乾燥装置本体を設置する場合が増えている。このような手乾燥装置本体は、手洗を行うための洗面ボウルが配置された手洗場所から少し離れた壁面や、洗面カウンタから離れたトイレ空間の壁面等に設置されている。
【０００３】
洗面ボウルが配置された手洗場所は、オフィスや店舗といった公共の場に複数並べて配置されていることが多く、手洗部で使用者が手を洗った後、使用者の手から水滴が落ちる前に、手洗場所から手乾燥装置本体の手乾燥室に手をスムーズに移動できるように、手洗場所の間に手乾燥装置本体を配置させたいという要望がある。
【０００４】
そこで、洗面場所から手乾燥室に手をスムーズに移動できるよう、カウンタ部の上面に洗面部を形成し、その手洗部の側方に手乾燥装置の手乾燥室をカウンタ部と一体的に設けることで、手洗部から手乾燥室に手を移動させやすくした構成が考えられる。（下記特許文献１参照）
【先行技術文献】
【特許文献】
【０００５】
【特許文献１】特開２００６−２８０６９７号公報
【発明の概要】
【発明が解決しようとする課題】
【０００６】
しかしながら、特許文献１の洗面台では、手乾燥室から噴出された水分を含んだ空気を洗面台内で循環させているので、その空気の一部が空気循環流路から洗面台内に漏れてしまった場合には、洗面台内の湿度が高くなるとともにカビや臭いが発生して不衛生である。
【０００７】
また、手乾燥装置が洗面台内に設けられているため、手乾燥装置のメンテナンスを行う際に、洗面台内の奥側まで入り込んで行わなければならず、場合によっては手乾燥装置を洗面台内から取出して行わなければならず、大変手間のかかる作業が発生してしまう。
【０００８】
本発明は、このような課題に鑑みてなされたものであり、その目的は、洗面台内の湿度が高くなってカビや臭いが発生することを防止するともに、洗面台の手前側から直接手乾燥装置本体に届くようにしてメンテナンスが容易である洗面設備を提供することである。
【課題を解決するための手段】
【０００９】
上記課題を解決するために本発明に係る洗面設備は、上方に開放され使用者の手に空気を吹きつける手乾燥室と、前記手乾燥室の側面に形成され前記手乾燥室内の手に吹きつけられた空気を排出するための排出口と、を有する手乾燥装置本体と、手洗を行うための手洗部を有する洗面台と、を有する洗面設備において、前記手乾燥装置本体は、前記手乾燥室の両側に一対の前記排出口が形成され、前記洗面台の手前側から奥側に切欠かれ、前記洗面台の壁面で区画された切欠部に配置されており、前記手乾燥装置本体の両側において、前記排出口を有する前記手乾燥装置本体の側面と前記排出口と対向する前記洗面台の壁面との間には、空気排出経路としての隙間が形成されており、前記排出口と対向する前記洗面台の壁面には上側の第１壁面と下側の第２壁面とを有する段部が形成されており、かつ前記第１壁面と前記排出口の距離が前記第２壁面と前記排出口の距離よりも短く、前記排出口の少なくとも一部が水平方向において前記第２壁面に重合することを特徴とする。
【００１０】
本発明では、手乾燥装置本体の排出口と洗面台の壁面との間に空気排出経路としての隙間があるので、手乾燥室から噴出された水分を含んだ空気を洗面台内で循環させる必要がなく、洗面台内の湿度が高くなることがなくことがない。
【００１１】
また、手乾燥装置本体が洗面台の手前側から奥側に切欠かれた切欠部に配置されているので、手乾燥装置本体のメンテナンスを行う際に洗面台内の奥側まで入り込んで行う必要もなく、手乾燥装置本体のメンテナンスが容易である。
また、手乾燥室から噴出される空気を手乾燥装置本体の両側の排出口から分散させて排出すると共に、手乾燥室から噴出される空気を排出口と対向する洗面台の壁面で受けることにより、手乾燥室から噴出される空気が使用者の顔に直接吹きつけることを最小限に抑え、使用者が不快な思いを受けることがより少ない。
また、空気排出経路における上端側が下端側よりも狭くなるので、空気排出経路としての隙間に使用者の手から水滴が落ち難くすることができるとともに、手乾燥室から噴出される空気が空気排出経路の下方側のから排出されやすくなり、手乾燥室から噴出される空気が使用者の顔に直接吹きつけることを抑え、使用者が不快な思いを受けることが少ない。
【００１２】
また、本発明に係る洗面設備は、前記切欠部の手前側には、前記切欠部に配置された前記手乾燥装置本体と前記隙間を覆うカバー部材が設けられていることも好ましい。
【００１３】
この好ましい様態では、切欠部に配置された手乾燥装置本体と隙間を覆うカバー部材が設けられているので、洗面台の前面がフラットに近づくため、洗面台全体の意匠性を向上させることができる。
【００１４】
また、本発明に係る洗面設備では、前記切欠部は、前記洗面台の手前側から奥側に凹んだ凹部であって、前記洗面台の対向する２つ壁面と前記手乾燥装置本体を取付けられる壁面とで区画される凹部であることも好ましい。
【００１５】
この好ましい態様では、洗面台の手前側から奥側に凹んだ凹部に手乾燥装置本体が設けられることによって、凹部の対向する２つ壁面で排出口から排出される空気に含まれる水滴を受け止めるため、空気に含まれる水滴が例えば床面等の広い範囲に飛散することを防止することができる。
【００１６】
また、本発明に係る洗面設備では、前記洗面台には複数の手洗部が形成されており、前記凹部は、前記複数の手洗部の間に形成されることも好ましい。
【００１７】
この好ましい様態では、凹部が複数の手洗部の間に形成されるので、手洗部で使用者が手を洗った後、使用者の手から水滴が床面に落ちることなく手洗部から手乾燥装置本体に手を移動する際にスムーズに移動しやすい。
【００１８】
また、本発明に係る洗面設備では、前記洗面台の上面と前記手乾燥装置本体の上端が同じ高さで前記手乾燥装置本体を設けることも好ましい。
【００１９】
この好ましい様態では、洗面台の上面と手乾燥装置本体の上端が同じ高さで手乾燥装置本体を設けるので、洗面台の上面がフラットに近づくため、洗面台全体の意匠性を向上させることができる。
【発明の効果】
【００２０】
本発明によれば、洗面台内の湿度が高くなってカビや臭いが発生することを防止するともに、洗面台の手前側から直接手乾燥装置本体に届くようにしてメンテナンスが容易である。
【図面の簡単な説明】
【００２１】
【図１】手乾燥装置本体が設置された洗面設備の外観を示す斜視図である。
【図２】図１に示す手乾燥装置本体が設置された洗面設備の拡大斜視図である。
【図３】手乾燥装置本体を取外した際の洗面設備を示した図である。
【図４】カウンタ凹部の垂下部の縦断面図である。
【図５】図３のカウンタ凹部に取付金具を設置した図である。
【図６】図５のカウンタ凹部に水密部材を設置した図である。
【発明を実施するための形態】
【００２２】
以下、添付図面を参照しながら本発明の実施の形態について説明する。説明の理解を容易にするため、各図面において同一の構成要素に対しては可能な限り同一の符号を付して、重複する説明は省略する。
【００２３】
図１は、手乾燥装置本体を洗面設備に設置した外観を示す斜視図である。また、図２は、手乾燥装置本体を取外した際の洗面設備を示した図である。
【００２４】
本実施形態の手乾燥装置本体８は、図１に示すように、水栓および洗面器を利用して手を洗った人が、濡れた手を乾燥するために使用するものである。手乾燥装置本体８は、ハウジング及び水受トレイを備えている。ハウジングには手乾燥室１２としての開口凹部が形成され、その開口凹部の下方には送風機が内蔵されている。開口凹部は上方に開口しており、使用者が手を差し入れるための開口部が形成されている。
【００２５】
手乾燥装置本体８を取り付けた状態で使用者に対して手前側となる正面側部材は、水平方向に直線状に略等間隔に列設された複数の第１ノズルを備えている。また、手乾燥装置本体８を壁面に取り付けた状態で使用者に対して壁面側となる背面側部材は、複数の第１ノズルと同様に水平方向に直線状に略等間隔に列設された複数の第２ノズルを備えている。複数の第１ノズル及び複数の第２ノズルは、送風機から送給される空気流を開口凹部内へ吹き出すためのノズルである。
【００２６】
また、本実施形態の洗面設備は、図１や図２に示すように、上方に開放され使用者の手に空気を吹きつける手乾燥室１２と、手乾燥室１２の側面１４に形成され手乾燥室１２内の手に吹きつけられた空気を排出するための排出口１５と、を有する手乾燥装置本体８と、手洗を行うための手洗部１を複数有する洗面台１０と、を有する洗面設備において、手乾燥装置本体８は、洗面台１０の手前側から奥側に凹んだ凹部３を形成する凹部壁面１１に取付けられ、排出口１５を有する手乾燥装置本体８の側面１４と、排出口１５と対向する洗面台１０の凹部壁面１１との間には、空気排出経路１３としての隙間が形成されている。尚、図１や図２の洗面台１０の凹部３は、洗面台１０の対向する２つ凹部壁面１１と前記手乾燥装置本体を取付けられる凹部壁面１１とで区画されるものであるが、例えば洗面台１０の一部が単に手前側から奥側に切欠かれた切欠部であっても、洗面台１０の角部が切欠かれた切欠部であっても良い。また、凹部３に配置された手乾燥装置本体８と隙間を覆うカバー部材が設けることが好ましく、洗面台１０の前面がフラットに近づくため、洗面台全体の意匠性を向上させることができる。
【００２７】
本実施形態の洗面設備では、手乾燥室１２から噴出された水分を含んだ空気を洗面台内で循環させる必要がなく、洗面台内の湿度が高くなることがなくことがない。また、洗面台内に手乾燥室１２から噴出された空気を循環させる配管を設ける必要もなく、洗面台内に形成される収納スペースを確保できるようになる。更に、手乾燥装置本体８の清掃やメンテナンスを行う際に洗面台内の奥側まで入り込んで行う必要もなく、手乾燥装置本体８の清掃やメンテナンスが容易である。
【００２８】
また、本実施形態の洗面設備は、排気口１５の上端と排出口１５と対向する洗面台１０の凹部壁面１１との距離が排出口１５の下端と排出口１５と対向する洗面台１０の凹部壁面１１との距離よりも短い。空気排出経路１３における排出口１５の上端側が排出口１５の下端側よりも狭くなるので、手乾燥室１２から噴出される空気が排出口１５の下方側の空気排出経路１３から排出されやすい。また、手乾燥室１２から噴出される空気は、洗面台１０の凹部３の前方からも排出されやすくなり、手乾燥室１２から噴出される空気が使用者の顔に直接吹きつけることを抑え、使用者が不快な思いを受けることが少なくできる。図１や図２では、洗面台１０の凹部壁面１１の上端が手乾燥装置本体８に向かって延出させているが、手乾燥装置本体８の上端が洗面台１０の凹部壁面１１に向かって延出させても良い。
【００２９】
また、本実施形態の洗面設備は、手乾燥室１２の一対の両側面１４に排出口１５が夫々形成され、排出口１５を有する手乾燥装置本体の両側面１４と排出口１５と対向する洗面台１０の凹部壁面１１との間に隙間が形成されている。手乾燥装置本体８の側面１４から噴出される空気を手乾燥装置本体８の両側面１４に形成される隙間に分散させて排出するので、手乾燥室１２から噴出される空気が使用者の顔に直接吹きつけることを最小限に抑え、使用者が不快な思いを受けることがより少なくすることができる。また、前記切欠部の手前側には、前記切欠部に配置された前記手乾燥装置本体と前記隙間を覆うカバー部材が設けられていることも好ましい。尚、空気排出経路１３としての隙間は、清掃がしやすいように手が入るように形成されており、好ましくは排気口１５と排出口１５と対向する洗面台１０の凹部壁面１１との距離が５ｃｍ以上が望ましい。
【００３０】
また、本実施形態の洗面設備は、図３に示すように、手洗を行うための手洗部１を複数有し、樹脂で成形されたカウンタ部２と、手洗部１の間のカウンタ部２の手前側から奥側に凹んだ凹部３と、凹部３の端部から一体的に垂下して形成された垂下部４と、を備え、凹部３に位置する垂下部４には、手乾燥装置本体８が取付される取付金具６を、垂下部４に固定可能である固定部４ａが形成されているものである。
【００３１】
本実施例の洗面設備について、より具体的に説明する。本実施形態の洗面カウンタは、図４、図５に示すとおり、カウンタ部２の凹部３において前記カウンタ部２の手前側の端部から垂下して形成されている垂下部４を設けているが、取付金具６には垂下部４の前面と当接する当接面６ｄが形成されることによって、手乾燥装置本体８の荷重が取付金具の当接面で垂下部４の前面に伝わるようになるため、安定した状態で手乾燥装置本体８をカウンタ部２の凹部３に取付けることができるようになる。
【００３２】
また、図６に示すように、取付金具６と垂下部４の間における上側に水密部材７が貼り付けられる。水密部材７を設けることによって、使用者の手から落ちた水滴が垂下部４と取付金具６の間に侵入しないため、垂下部４と取付金具６の間に水が溜まることがなくカビや異臭の発生を防止することができるようになる。また、手乾燥装置本体８の下方部を下方パネル面５にビス固定する場合、ビスと下方パネル面５の隙間への水侵入を防止することができ、水侵入により下方パネル面５が腐食し、ビス抜けにより手乾燥装置本体８が落下することを防止できる。
【００３３】
また、本実施形態の取付金具６には、手乾燥装置本体８を係止する係止部６ａが形成され、取付金具６の係止部６ａに手乾燥装置本体８を取り付けられるようになっている。手乾燥装置本体８を係止する係止部６ａが取付金具６の上端から手前側に突出形成されることによって、手乾燥装置本体８を取付金具６の係止部６ａに係止するのみで手乾燥装置本体８をカウンタ部２の凹部３に容易に取付けることができるようになる。
【００３４】
また、本実施例の洗面設備は、手乾燥装置本体８を凹部壁面１１から取外可能であることが好ましく、手乾燥装置本体８が凹部壁面１１に取外すことによって、手乾燥装置本体８が凹部壁面１１に取付けられた状態で困難であった手乾燥装置本体全体の清掃等を行うことが可能になる。
【００３５】
つぎに、手乾燥装置本体８が取り付けられるまでの工程について詳細を説明する。
【００３６】
まず、洗面カウンタを所定の位置に設置する前に予め取付金具６を垂下部４に固定する。具体的には、カウンタ部２の固定部４ａと取付金具６の垂下部固定穴６ｂにボルトを挿通してナットでカウンタ部２と取付金具６を固定する。その後、洗面カウンタを所定の位置に設置する。
【００３７】
尚、カウンタ部２に手乾燥装置本体８を取付けた際、強度が足りない場合には、更に、取付金具６の取付面６ｄが垂下部４よりも下方側に位置させ、凹部３の下方に位置する下方パネル面部５と取付金具６の下方パネル面部固定穴６ｃにビス等で固定しても良い。そのようにすることで、垂下部４にかかる荷重を、下方パネル面５にも分散させることができる。
【００３８】
また、取付金具６を垂下部４に取り付けた後、取付金具６に設けられたガイド６ｅ、ケガキ６ｆを利用して、垂下部４と取付金具６の間における上側に水密部材７を取付ければ、垂下部４と取付金具６の間に水が溜まることがなくカビや異臭の発生を防止することができる。また、手乾燥装置本体８の下方部を下方パネル面５にビス固定する場合、ビスと下方パネル面５の隙間への水侵入を防止することができ、水侵入により下方パネル面５が腐食し、ビス抜けにより手乾燥装置本体８が落下することを防止できる。
【００３９】
次に、取付金具６の係止部６ａに手乾燥装置本体８を引っかける。ここで、本実施形態では、カウンタ部２の上面と手乾燥装置本体８の上端が同じ高さになる構成であり、手洗部１から手乾燥装置本体８に手を移動する際にスムーズに移動しやすくなるとともに、洗面台１０の上面をフラットにさせて洗面台全体の意匠性を向上させることができる。
【００４０】
また、取付金具６の上端に形成された係止部６ａに手乾燥装置本体８を取り付け、手乾燥装置本体８の荷重が取付金具の当接面で垂下部４の前面に分散して伝わる構成としているため、安定した状態で手乾燥装置本体８をカウンタ部２の凹部３に取付けることができるようになる。
【００４１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００４２】
１：手洗部
２：カウンタ部
３：凹部
４：垂下部
４ａ：固定部
５：下方パネル面部
６：取付金具
６ａ：係止部
６ｂ：垂下部固定穴
６ｃ：下方パネル面部固定穴
６ｄ：当接面
６ｅ：ガイド
６ｆ：ケガキ
７：水密部材
８：手乾燥装置本体
１０：洗面台
１１：壁面（凹部壁面）
１２：手乾燥室
１３：空気排出経路
１４：手乾燥装置本体の側面
１５：排出口
１６：第１壁面
１７：第２壁面
【図１】
0005557171.tif 000002
【図２】
0005557171.tif 000003
【図３】
0005557171.tif 000004
【図４】
0005557171.tif 000005
【図５】
0005557171.tif 000006
【図６】
0005557171.tif 000007